(57)【要約】【目的】ノーリンギングサービスを使用する電話回線におけるＡＤＳＬサービスの利用を可能とするＡＤＳＬアダプタの性能向上。【構成】  電話回線を使用してノーリンギングサービスを利用する家庭宅に設置されるＡＤＳＬサービスの利用を可能とするＡＤＳＬアダプタ２１は、該ＡＤＳＬアダプタ２１のＬＰＦ３１，３３を構成するチョークコイル３２，３４が、該チョークコイルを経路とするノーリンギングサービスのＮＣＵ制御信号と通話サービスの音声信号のそれぞれの信号に対して、最適なインダクタンス値に変化する。【選択図】図４
2005057456.tif 000002
【特許請求の範囲】
【請求項１】
ガス検針を電話回線網を利用して管理制御するノーリンギングサービスを使用している電話回線でＡＤＳＬサービスを使用可能とするＡＤＳＬアダプタにおいて、該ＡＤＳＬアダプタに内蔵されるローパスフィルタを構成するチョークコイルが、該チョークコイルを経路とする信号の回線給電電流に対し、発生するインダクタンス値を可変するスイング特性を有することを特徴とするガス検針ＡＤＳＬアダプタ用チョークコイル。
【請求項２】
ＡＤＳＬアダプタ内のチョークコイルは、ノーリンギングサービスの回線給電電流で発生するインダクタンス値Ｌｖ１と通話サービスの回線給電電流で発生するインダクタンスＬｖ２の関係がＬｖ１＞Ｌｖ２であり、かつ、前記インダクタンス値は、チョークコイルを経路とするそれぞれの通信サービスにおける最適なインダクタンス値となることを特徴とする請求１記載のガス検針ＡＤＳＬアダプタ用チョークコイル。
【請求項３】
ＡＤＳＬアダプタ内のチョークコイルは、ノーリンギングサービスの回線給電電流と通話サービスの回線給電電流の過渡電流間に急激にインダクタンス値が変化することを特徴とする請求項１、２記載のガス検針ＡＤＳＬアダプタ用チョークコイル。
【請求項４】
ＡＤＳＬアダプタ内のチョークコイルは、１個のスイングチョークコイル、または、電流に対しインダクタンス値の変化が異なる複数個のチョークコイルから構成することを特徴とする請求項１から請求項３記載のガス検針ＡＤＳＬアダプタ用チョークコイル。
【発明の詳細な説明】
【技術分野】
【０００１】
本発明は、ノーリンギングサービスを使用する電話回線において、ブロードバンドのひとつであるＡＤＳＬ（Asymmetric Digital Subscriber Line）サービスの使用を可能としたＡＤＳＬアダプタに関するものであり、ノーリンギングサービスとＡＤＳＬサービスの品質を向上させるものである。
【背景技術】
【０００２】
都市部を中心とした電話回線網を利用したサービスとして、ノーリンギングサービスがある。このノーリンギングサービスは、各家庭にＮＣＵ（網制御装置）を設置してＬＰＧガス等の検針、監視などを電話回線網を使用して集中管理するシステムのことである。
【０００３】
ノーリンギングサービスを利用する家庭宅において、ブロードバンドのひとつであるＡＤＬＳサービスを使用しようとした場合、上記のＮＣＵが障害となり、家庭宅内に引き込まれている電話回線配線を再度宅外に引き出してＮＣＵに接続する電話線配線工事が必要とされていた。
【０００４】
これを解決するものとして、ＡＤＳＬアダプタを使用する方法がある。図３にＡＤＳＬアダプタを使用する家庭宅電話回線のブロック配線図、図４にＡＤＳＬアダプタの回路図を示す。電話回線網２５より家庭宅２７への電話線配線は、保安器２４を入りＡＬＳＬアダプタ２１に接続され、このＡＤＳＬアダプタ２１により、通話サービスとＡＤＳＬデータサービスに使用する回線と、ガスメータ２６を検針するＮＣＵ２３の回線とに分岐されるため、家庭宅の内から外への電話線配線の引き回し工事を不要とし、簡易な工事のみであＡＤＳＬサービスの使用を可能とした。
【０００５】
ＡＤＳＬアダプタの機能を図４の回路図を用いて説明すると、ＡＤＳＬアダプタ２１は、コンデンサ３６からなるハイパスフィルタ（以下ＨＰＦと略す）３５とチョークコイル３２，３４からなるローパスフィルタ（以下ＬＰＦと略す）３１，３３より構成され、電話回線網（保安器２４側）あるいは宅内ＰＯＴＳスプリッタ２２からの音声信号とデータ信号が混在するＡＤＳＬ信号に対してＡＤＳＬアダプタ２１が、周波数の高いデータ信号はＨＰＦ３５のコンデンサ３６を通信経路し、周波数の低い音声信号は、ＬＰＦ３１または３３を通過しＮＣＵ２３を介して、別のＬＰＦ３３または３１を経路とするものである。ＮＣＵ２３の制御信号はＬＰＦ３１を経路する。
【０００６】
ＡＤＳＬアダプタ２１のＬＰＦ３１，３３を構成するチョークコイル３２，３４は、ＡＤＳＬのデータ信号がＮＣＵ２３への流入防止と、音声信号とＮＣＵ制御信号を通過させる働きを有すものであるが、ＡＤＳＬ通信中にＮＣＵ２３が通信状態になるとＮＣＵ２３が誤動作を起こす問題を発生させていた。
【特許文献１】特開２００２−２５２７１８号公報
【発明の開示】
【発明が解決しようとする課題】
【０００７】
これは、ＡＤＳＬアダプタ２１のチョークコイル３２，３４のインダクタンス値が低いために起こっているが、該インダクタンス値を高くすればＮＣＵ２３が通信状態になっても、ＡＤＳＬのデータ信号が流入することはないが、ＰＯＴＳスプリッタ２２の性能が低下し、ＡＤＳＬサービスに障害が発生するため、ＡＤＳＬアダプタ２１のチョークコイル３２，３４のインダクタンス値を必要以上に高くすることができなかった。
【０００８】
本発明は、ＡＤＳＬアダプタ２１のＬＰＦ３１，３３を構成するチョークコイル３２，３４がＰＯＴＳスプリッタ２２の動作に障害を発生させることがなく、ＮＣＵ通信時にＬＰＦ３１，３３がＡＤＳＬサービスのデータ信号のＮＣＵ２３への流入を防止し、ＡＤＳＬアダプタ２１のＬＰＦ３１，３３をノーリンギングサービスの制御信号及び通話サービスの音声信号の双方の信号に対して最適なインダクタンス値を発生させるチョークコイルを提供するものである。
【課題を解決するための手段】
【０００９】
本発明は、ガス検針を電話回線網を利用して管理制御するノーリンギングサービスを使用している電話回線でＡＤＳＬサービスを使用可能とするＡＤＳＬアダプタにおいて、該ＡＤＳＬアダプタに内蔵されローパスフィルタを構成するチョークコイルが、該チョークコイルを経路とする信号の回線給電電流に対し、発生するインダクタンス値を可変するスイング特性を有するガス検針ＡＤＳＬアダプタ用チョークコイルである。
【００１０】
また本発明は、ＡＤＳＬアダプタ内のチョークコイルは、ノーリンギングサービスの回線給電電流で発生するインダクタンス値Ｌｖ１と通話サービスの回線給電電流で発生するインダクタンス値Ｌｖ２の関係がＬｖ１＞Ｌｖ２であり、かつ、前記インダクタンス値は、チョークコイルを経路とするそれぞれの通信サービスにおける最適なインダクタンス値となる上記記載のガス検針ＡＤＳＬアダプタ用チョークコイルである。
【００１１】
また本発明は、ＡＤＳＬアダプタ内のチョークコイルは、ノーリンギングサービスの回線給電電流と通話サービスの回線給電電流の過渡電流間に急激にインダクタンス値が変化するガス検針ＡＤＳＬアダプタ用チョークコイルである。
【００１２】
また本発明は、ＡＤＳＬアダプタ内のチョークコイルは、１個のスイングチョークコイル、または、電流に対しインダクタンス値の変化が異なる複数個のチョークコイルから構成するガス検針ＡＤＳＬアダプタ用チョークコイルである。
【発明の効果】
【００１３】
本発明のＡＤＳＬアダプタ用チョークコイルは、ノーリンギングサービスのＮＣＵ制御信号と通話サービスの音声信号のそれぞれの信号を阻害しないインダクタンス値に変化し、ＡＤＳＬのデータ信号のＮＣＵへの流入を防止できるため、ＮＣＵの誤動作を解決し、電話回線網を使用したサービスの品質を維持し、また、ブロードバンドであるＡＤＳＬサービスの普及性を高めることができる。
【発明を実施するための最良の形態】
【００１４】
本発明のＡＤＳＬアダプタ用チョークコイルは、該チョークコイルを通信経路するノーリンギングサービスの制御信号と通話サービスの音声信号のそれぞれの信号に対してチョークコイルが最適値となること目的とした。前記信号の特徴として、制御信号と音声信号は同時通信はできず、給電電流値がノーリンギングサービスの給電電流は１０ｍＡ以下、通話サービスは１５ｍＡ〜１３０ｍＡである。すなわちチョークコイルの特性としては、ノーリンギングサービス通信時にＡＤＳＬのデータ信号のＮＣＵへの流入を防止するための高いインダクタンス値。また、電話通話時にはＰＯＴＳスプリッタの動作に支障のないインダクタンス値とする必要がある。そのため、チョークコイルのインダクタンス特性に電流に対する可変特性を持たせ、また、その可変が上記のノーリンギングサービスと通話サービスの給電電流の過渡電流範囲でおこなうので、前記通信サービスに障害を発生させることはない。
【００１５】
図１が本発明のＡＤＳＬアダプタ用チョークコイルのインダクタンスの直流重畳特性例を示したものである。本発明例のチョークコイルは、ノーリンギングサービス通信時（電流：〜１０ｍＡ）にチョークコイルが高インダクタンス値Ｌｖ１を発生させ、電話通話時（電流：１５ｍＡ〜）にはＰＯＴＳスプリッタ動作を阻害しないインダクタンス値Ｌｖ２となる。そして、前記各通信サービス間の給電電流間（１０ｍＡ〜１５ｍＡ）に、インダクタンス値が変化するため、各通信サービスに障害を発生させない。比較として、従来のＡＤＳＬアダプタのチョークコイルの特性例も示す。
【実施例１】
【００１６】
本発明のチョークコイルに使用するコアに、段付のギャップ、斜めギャップを設け、図１に示すインダクタンス特性を有すチョークコイルを得ることができた。また、飽和磁束密度、透磁率等の軟磁性磁気特性が異なるコアを組み合わせた複合コア、あるいは、フェライトからなるコアのギャップ部分に、前記フェライトと磁気特性の異なる磁性材料からなるコア片を挿入したコアを用いても、図１の本発明例と同等の特性を有すチョークコイルを作製することができた。
【実施例２】
【００１７】
また上記とは別の方法として、２個のチョークコイルを使用することにより図１の特性を満足する方法もある。図２はＡＤＳＬアダプタ１７の回路図であり、ＬＰＦ１１，１４がそれぞれ２つのチョークコイル１２，１３と１５，１６で構成され、チョークコイル１２，１５はノンギャップのコアを使用し、もう一方のチョークコイル１３，１６はギャップ付のコアを使用した。チョークコイル１２，１５は高インダクタンス値を発生するが電流に対してすぐに飽和を起こしインダクタンス値が急激に低下する。もう一方のチョークコイル１３，１６は前記チョークコイルに比べインダクタンス値は低いが、電流が増えてもインダクタンス値の低下が小さく、この２組のチョークコイル１２，１３と１５，１６により、図１に示す本発明例と同等の特性を得ることができた。
【産業上の利用可能性】
【００１８】
一般の家庭宅をモデルにガス検針について説明したが、同様の方法であるノーリンギングサービスシステムを使用した各種検針、監視、制御に利用でき、企業あるいは施設等におけるＡＤＳＬサービスを可能とするものである。
【図面の簡単な説明】
【００１９】
【図１】本発明のガス検針ＡＤＳＬアダプタ用チョークコイルの直流重畳特性図である。
【図２】本発明のガス検針ＡＤＳＬアダプタ用チョークコイルの一構成方法示すＡＤＳＬアダプタの回路図である。
【図３】ＡＤＳＬアダプタを使用するノーリンギングサービス利用家庭宅の電話回線のブロック配線図である。
【図４】ＡＤＳＬアダプタの回路図である。
【符号の説明】
【００２０】
２１：ＡＤＳＬアダプタ
２２：ＰＯＴＳスプリッタ
２３：ＮＣＵ
２４：保安器
２６：ガスメータ
３１、３３：ＬＰＦ（ローパスフィルタ）
３２、３４：チョークコイル
３５：ＨＰＦ（ハイパスフィルタ）
３６：コンデンサ
【図１】
2005057456.tif 000003
【図２】
2005057456.tif 000004
【図３】
2005057456.tif 000005
【図４】
2005057456.tif 000006